(57)【要約】【課題】上階の階段取付部と下階の階段取付部とに架設されるトラス構造体で踏板を支持する形式の階段であって、トラス構造体が長尺化しても、その中央部での撓みが大きくならず、かつ、長周期の揺れが発生し難くなる階段を提供することを課題とする。【解決手段】上弦材１１と下弦材１２とこれらを連結する複数のラチス材１３とを含んで構成されるトラス構造体１０と、このトラス構造体１０に支持される踏板２０と、下階の階段取付部Ｆ１に設置される下弦支承体３０と、を備える階段であって、下弦材１２とラチス材１３との接続点のうち、下端に位置する接続点よりも少なくとも一つ上に位置する接続点を支持点Ｓとし、この支持点Ｓを下弦支承体３０で支持したことを特徴とする。【選択図】図１
2008014017.tif 000002
【特許請求の範囲】
【請求項１】
上弦材と下弦材とこれらを連結する複数のラチス材とを含んで構成されるトラス構造体と、
前記トラス構造体に支持される踏板と、
下階の階段取付部に設置される下弦支承体と、を備える階段であって、
前記下弦材と前記ラチス材との接続点のうち、下端に位置する前記接続点よりも少なくとも一つ上に位置する前記接続点を支持点とし、当該支持点を前記下弦支承体で支持したことを特徴とする階段。
【請求項２】
踏板を支持する構造体の下端部に設けられた支持点と下階の階段取付部との間に介設される階段支承体であって、
前記階段取付部に固定されるベース部材と、
前記ベース部材に立設される束部材と、
前記束部材と前記支持点との間に介設される連結部材とを備えて構成されていることを特徴とする階段支承体。
【請求項３】
前記束部材の下端部が、ピン支持状態で前記ベース部材に接続されており、
前記束部材の上端部が、ピン支持状態で前記連結部材に接続されていることを特徴とする請求項２に記載の階段支承体。
【発明の詳細な説明】
【技術分野】
【０００１】
本発明は、トラス構造体で踏板を支持する形式の階段に関し、さらに、当該階段に好適に用いられる階段支承体に関する。
【背景技術】
【０００２】
従来、軽快ですっきりとしたデザインを具備する階段として、上階の階段取付部と下階の階段取付部とに架設されたトラス構造体で踏板を支持する形式の階段が本願出願人によって提案されている（例えば、特許文献１および特許文献２参照）。
【０００３】
これら従来の階段に係るトラス構造体の下端部は、図１３に示すように、下弦材１２の下端に配置された下弦支承体３０’および上弦材１１の下端に配置された上弦支承体４０’を介して下階の階段取付部Ｆ１に支持されており、トラス構造体の上端部は、上弦材１１の上端に配置された上弦支承体５０’を介して上階の階段取付部Ｆ２に支持されている。
【０００４】
なお、下弦支承体３０’は、下弦材１２とラチス材１３との接続点のうち、下端に位置する接続点に接続されている。また、下階側の上弦支承体４０’は、上弦材１１とラチス材１３との接続点のうち、下端に位置する接続点に接続されており、上階側の上弦支承体５０’は、上弦材１１の上端に位置する接続点に接続されている。
【０００５】
【特許文献１】特開２００４−２３８８６５号公報
【特許文献２】特開２００５−１６０４１号公報
【発明の開示】
【発明が解決しようとする課題】
【０００６】
ところで、前記した階段を階高の大きい建物に設置する場合には、トラス構造体が長尺化することになる。また、階高がさほど大きくない場合であっても、例えば、高齢者対策の一環として階段勾配を緩やかにする場合には、トラス構造体が長尺化することになる。
【０００７】
トラス構造体が長尺化すると、その中央部での撓みが大きくなる虞があり、また、長周期の揺れも発生し易くなることから、十分な強度を備えていても、昇降者に不安を抱かせる虞がある。なお、上弦材や下弦材を重厚にすれば、撓みや長周期の揺れを抑えることはできるが、軽快な印象が損なわれてしまうので、推奨することはできない。
【０００８】
このような観点から、本発明は、トラス構造体で踏板を支持する形式の階段であって、トラス構造体が長尺化しても、その中央部での撓みが大きくならず、かつ、長周期の揺れが発生し難くなる階段を提供することを課題とし、さらには、このような階段に好適に用いられる階段支承体を提供することを課題とする。
【課題を解決するための手段】
【０００９】
このような課題を解決するために創案された本発明に係る階段は、上弦材と下弦材とこれらを連結する複数のラチス材とを含んで構成されるトラス構造体と、前記トラス構造体に支持される踏板と、下階の階段取付部に設置される下弦支承体と、を備える階段であって、前記下弦材と前記ラチス材との接続点のうち、下端に位置する前記接続点よりも少なくとも一つ上に位置する前記接続点を支持点とし、当該支持点を前記下弦支承体で支持したことを特徴とする。
【００１０】
本発明に係る階段によれば、下弦材の下端に位置する接続点を支持する場合に比べて、トラス構造体の支点間距離を短くすることが可能となるので、トラス構造体が長尺化しても、その中央部での撓みが大きくならず、かつ、長周期の揺れが発生し難くなる。加えて、本発明に係る階段によれば、上弦材や下弦材を重厚にする必要がないので、軽快な印象を維持しつつ、撓みや長周期の揺れを抑えることが可能となる。
【００１１】
また、前記した課題を解決するために創案された本発明に係る階段支承体は、踏板を支持する構造体の下端部に設けられた支持点と下階の階段取付部との間に介設される階段支承体であって、前記階段取付部に固定されるベース部材と、前記ベース部材に立設される束部材と、前記束部材と前記支持点との間に介設される連結部材とを備えて構成されていることを特徴とする。なお、踏板を支持する構造体には、トラス構造体のほか、側桁やささら桁などが含まれる。
【００１２】
前記した本発明に係る階段においては、前記下弦材と前記ラチス材との接続点のうち、下端に位置する接続点よりも少なくとも一つ上に位置する接続点を支持点としているので、下端に位置する接続点を支持点とした場合に比べて、支持点と下階の階段取付部との離間距離が大きくなる傾向にあるが、本発明に係る階段支承体によれば、ベース部材と連結部材との間に束部材を具備しているので、支持点と下階の階段取付部との離間距離が大きい場合であっても容易に対応することができる。なお、本発明に係る階段支承体は、本発明に係る階段以外にも使用することができる。
【００１３】
また、構造体の支持点と下階の階段取付部との間の離間距離は、階段の設置状況によって変化することになるが、この階段支承体によれば、束部材を長さの異なる他の束部材に取り替えるだけで、高さ寸法を変更することができるので、建物ごとに異なる階段の設置状況に容易に対応することが可能となる。
【００１４】
また、前記束部材の下端部をピン支持状態で前記ベース部材に接続し、前記束部材の上端部をピン支持状態で前記連結部材に接続すると、束部材を傾倒させることが可能となるので、束部材の傾斜角度を変更することが可能となる。束部材の傾斜角度が変更できれば、高さ寸法の微調整を行うことが可能となるので、建物ごとに異なる階段の設置状況に容易に対応することが可能となり、さらには、設置誤差が発生した場合であっても、容易に対応することが可能となる。
【発明の効果】
【００１５】
本発明に係る階段によると、踏板を支持するトラス構造体が長尺化しても、その中央部での撓みが大きくならず、かつ、長周期の揺れが発生し難くなる。
【００１６】
また、本発明に係る階段支承体によれば、束部材を長さの異なる他の束部材に取り替えるだけで、高さ寸法を変更することができるので、建物ごとに異なる階段の設置状況に容易に対応することが可能となる。
【発明を実施するための最良の形態】
【００１７】
以下、本発明に係る階段および本発明に係る階段支承体を実施するための最良の形態を、添付した図面を参照しつつ詳細に説明する。
【００１８】
本発明の実施形態に係る階段は、図１に示すように、トラス構造体１０と、踏板２０と、下弦支承体３０と、下階側の上弦支承体４０と、上階側の上弦支承体５０と、手摺６０と、を備えて構成されている。なお、下弦支承体３０が、本発明に係る階段支承体の実施形態に相当する。
【００１９】
トラス構造体１０は、踏板２０を支持するものであって、上弦材１１と下弦材１２とこれらを連結する複数のラチス材１３，１３，…とを含んで構成される構面（トラス面）を備えている。図２に示すように、本実施形態に係るトラス構造体１０は、逆ハ字状に対向する左右一対のトラス面を具備する立体的な骨組構造体であって、階段勾配で傾斜する左右一対の上弦材１１，１１と、この上弦材１１，１１の下方に配置された左右一対の下弦材１２，１２と、上弦材１１と下弦材１２とを連結する複数のラチス材１３，１３，…と、左右の上弦材１１，１１を連結する複数の上弦連結材１４，１４，…と、左右の下弦材１２，１２を連結する複数の下弦連結材１５，１５，…と、上弦材１１に沿って配置された補強材１６とを備えて構成されている。
【００２０】
上弦材１１および下弦材１２は、それぞれ、長手方向に連設された複数の棒状要素１と、長手方向に隣り合う棒状要素１，１を連結する節点要素２（以下、「ハブ２」という。）とを備えて構成されている。
【００２１】
棒状要素１は、断面円形のアルミニウム合金製の中空押出形材を加工したものであり、図３の（ａ）に示すように、その両端に偏平状の接続端部１ａ，１ａを有している。接続端部１ａは、図３の（ｂ）に示すように、後記するハブ２の連結溝２ａに嵌合される部位であり、図３の（ｃ）に示すように、本実施形態では、棒状要素１の中心軸線に直交する方向に延びる凹凸を具備している。なお、接続端部１ａは、中空押出形材の両端をプレス加工などにより押し潰すことにより形成することができる。
【００２２】
ハブ２は、図４に示すように、本実施形態では円柱形状を呈している。ハブ２の外周面には、複数の連結溝２ａ，２ａ，…が形成されている。連結溝２ａは、棒状要素１の接続端部１ａや後記するラチス材１３の接続端部１３ａと同一の断面形状に成形されており、その内壁面には、接続端部１ａ，１３ａの凹凸と係合する凹凸が形成されている。また、ハブ２の中心には、ボルト挿通孔２ｂが形成されている。ボルト挿通孔２ｂには、ねじ棒Ｂ１が挿通される。ネジ棒Ｂ１は、ハブ２の端面に配置される抜け止用のワッシャ２ｃを固定するためのものであり、その両端にはナットＮ１が螺合される。ハブ２は、アルミニウム合金製の押出形材からなり、連結溝２ａおよびボルト挿通孔２ｂは、アルミニウム合金を押出成形する際に形成される。なお、ハブ２は、鋳造により製作してもよい。また、ハブ２の形状も図示のものに限定されることはなく、角柱形状その他の形状にしても差し支えない。
【００２３】
図２に示すように、ラチス材１３は、本実施形態では、上弦材１１および下弦材１２に斜交するように配置された一本の棒状要素によって構成されていて、その一端が上弦材１１を構成するハブ２に接続され、他端が下弦材１２を構成するハブ２に接続されている。より詳細には、図５の（ｃ）に示すように、ラチス材１３は、ハブ２の中心軸線に対して角度αだけ傾斜した状態で後記するハブ２に接続される。ラチス材１３は、アルミニウム合金製の中空押出形材を加工したものであり、図５の（ａ）に示すように、その両端に偏平状の接続端部１３ａを有している。接続端部１３ａは、図５の（ｂ）に示すように、ハブ２の連結溝２ａに嵌合される部位であり、本実施形態では、図５の（ｃ）に示すように、ラチス材１３の中心軸線に対して角度αで傾斜する方向に延びる凹凸を具備している。接続端部１３ａの凹凸は、ハブ２の連結溝２ａの凹凸に係合する。なお、接続端部１３ａは、前記した棒状要素１の場合と同様に、中空押出形材の両端をプレス加工などにより押し潰すことにより形成することができる。
【００２４】
図２に示す上弦連結材１４および下弦連結材１５は、それぞれ、一本の棒状要素によって構成されている。上弦連結材１４および下弦連結材１５の構成は、前記した棒状要素１と同様であるので、その詳細な説明を省略するが、上弦連結材１４は、上弦材１１を構成するハブ２に接続され、下弦連結材１５は、下弦材１２を構成するハブ２に接続される。
【００２５】
補強材１６は、棒状要素１とハブ２との接合部の弱軸方向（左右方向）の強度を補強するものであり、上弦材１１の全長と同じ長さを有するアルミニウム合金製の押出形材からなり、本実施形態では、上弦材１１を構成している総てのハブ２に対して固定されている。
【００２６】
図１に示す踏板２０は、木製や金属製などの板材からなり、本実施形態では、受け材２１を介してトラス構造体１０に支持・固定されている。受け材２１は、図６に示すように、階段勾配で傾斜して補強材１６の上面に当接する取付面２１ａと、踏板２０が載置・固定される踏板支持面２１ｂとを備えて構成されていて、補強材１６の上面に固定されている。受け材２１は、アルミニウム合金製の中空押出形材からなり、図示は省略するが、隣り合う上弦材１１，１１間に架設されている。なお、図示は省略するが、同じ高さに配置した左右一対の受け材で踏板２０を支持してもよい。
【００２７】
図１に示す下弦支承体３０は、下弦材１２とラチス材１３との接続点のうち、下端に位置する接続点よりも少なくとも一つ上に位置する接続点（以下、「支持点Ｓ」という。）を支持するものである。なお、本実施形態では、ハブ２が下弦材１２とラチス材１３との接続点に相当する。
【００２８】
下弦支承体３０は、図７に示すように、下階の階段取付部Ｆ１に固定されるベース部材３Ａと、支持点Ｓとなるハブ２に固定される連結部材３Ｂと、ベース部材３Ａと連結部材３Ｂとの間に介設される束部材３Ｃとを備えて構成されている。
【００２９】
ベース部材３Ａは、図８の（ａ）に示すように、階段取付部Ｆ１に載置される基部３１と、この基部３１の中央部に対向して立設された左右一対の下支持部３２とを備えて構成されている。基部３１は、板状を呈しており、その適所に取付孔３１ａ，３１ａが形成されている。取付孔３１ａには、ベース部材３Ａを階段取付部Ｆ１に固定するためのボルトＢ３が挿通される。下支持部３２は、板状を呈しており、その略中央部に下支持孔３２ａが形成されている。下支持孔３２ａには、束部材３Ｃの下端部を支持するための下支持軸３３が挿通される。なお、本実施形態では、ボルトの軸部を下支持軸３３としている。
【００３０】
ベース部材３Ａは、図８の（ｂ）に示すように、板部３０１と一対の立上部３０２，３０２とを備えるアルミニウム合金製の押出形材３００を適宜な寸法で切断するとともに、切り出した押出形材３００において立上部３０２の前後を切除することで製作される。なお、ベース部材３Ａは、鋳造により製作してもよいし、板材を溶接により接合して製作してもよい。
【００３１】
連結部材３Ｂは、図８の（ａ）に示すように、束部材３Ｃと支持点Ｓであるハブ２との間に介設されるものであり、本実施形態では、ハブ２の下面に固定される固定部３４と、この固定部３４に対向して垂設された一対の上支持部３５，３５とを備えて構成されている。固定部３４は、板状を呈しており、その中央部に取付孔３４ａが形成されている。取付孔３４ａには、連結部材３Ｂを支持点Ｓであるハブ２に固定するためのボルトＢ１（図４参照）が挿通される。上支持部３５，３５の対向面（内面）間の距離は、ベース部材３Ａの下支持部３２，３２の外面間の距離と略等しくなっている。上支持部３５は、板状を呈しており、その下端部に上支持孔３５ａが形成されている。上支持孔３５ａには、束部材３Ｃの上端部を支持するための上支持軸３６が挿通される。なお、本実施形態では、ボルトの軸部を上支持軸３６としている。
【００３２】
連結部材３Ｂは、図示は省略するが、アルミニウム合金製の押出形材を適宜な寸法で切断・切除することで製作される。なお、連結部材３Ｂは、鋳造により製作してもよいし、板材を溶接により接合して製作してもよい。
【００３３】
図７に示すように、束部材３Ｃは、ベース部材３Ａに立設されており、かつ、その上端部が連結部材３Ｂに接続されている。すなわち、束部材３Ｃは、その下端部がベース３Ａに接続され、上端部が連結部材３Ｂに接続されている。図８の（ａ）に示すように、束部材３Ｃは、帯板状を呈していて、その左右の側面が互いに平行に成形されている。なお、束部材３Ｃの上端面および下端面は、それぞれ、半円筒面状に成形されている。
【００３４】
束部材３Ｃの下端部は、下支持軸３３を介してベース部材３Ａの下支持部３２に接続され、下支持軸３３の軸回りに回動可能である。すなわち、束部材３Ｃの下端部は、ピン支持状態でベース部材３Ａに接続される。なお、束部材３Ｃの下端部は、ベース部材３Ａの下支持部３２，３２の対向面（内面）間の距離と略等しい厚さ寸法に設定されていて、下支持部３２，３２の対向面間に挿入される。束部材３Ｃの下端部には、下支持軸３３が挿通される下挿通孔３７ａが形成されている。下挿通孔３７ａは、束部材３Ｃの下端部を左右方向に貫通している。
【００３５】
一方、束部材３Ｃの上端部は、上支持軸３６を介して連結部材３Ｂの上支持部３５に接続され、上支持軸３６の軸回りに回動可能である。すなわち、束部材３Ｃの上端部は、ピン支持状態で連結部材３Ｂに接続される。なお、束部材３Ｃの上端部は、上支持部３５，３５の対向面（内面）間に挿入される。束部材３Ｃの上端部には、上支持軸３６が挿通される上挿通孔３７ｂが形成されている。上挿通孔３７ｂは、束部材３Ｃの上端部を左右方向に貫通している。なお、束部材３Ｃの上端部の側面と連結部材３Ｂの上支持部３５の内面との間には、透孔３８ａを有するスペーサ３８が介設される。
【００３６】
ベース部材３Ａと束部材３Ｃとを連結するには、ベース部材３Ａの下支持部３２，３２の対向面間に束部材３Ｃの下端部を挿入し、下支持部３２の下支持孔３２ａと束部材３Ｃの下挿通孔３７ａの位置を合わせたうえで、一方の下支持部３２側から下支持孔３２ａと下挿通孔３７ａとに下支持軸３３を挿入し、他方の下支持部３２の下支持孔３２ａから突出した下支持軸３３の先端部にナット３３ａを螺合すればよい。
【００３７】
また、連結部材３Ｂと束部材３Ｃとを連結するには、連結部材３Ｂの上支持部３５，３５の対向面間に束部材３Ｃの上端部を挿入するとともに、その側面と上支持部３５の内面との間にスペーサ３８，３８を挿入し、上支持部３５の上支持孔３５ａと束部材３Ｃの上挿通孔３７ｂとスペーサ３８の透孔３８ａとの位置を合わせたうえで、一方の上支持部３５側から上支持孔３５ａと上挿通孔３７ｂと透孔３８ａとに上支持軸３６を挿入し、他方の上支持部３５の上支持孔３５ａから突出した上支持軸３６の先端部にナット３６ａを螺合すればよい。
【００３８】
図７に示す下階側の上弦支承体４０は、上弦材１１とラチス材１３との接続点のうち、下端に位置する接続点（ハブ２）を支持するものであって、下階の階段取付部Ｆ１に固定されるベース部材４Ａと、上弦材１１の下端に位置するハブ２に固定される連結部材４Ｂとを備えて構成されている。
【００３９】
ベース部材４Ａおよび連結部材４Ｂは、下弦支承体３０のベース部材３Ａおよび連結部材３Ｂと同一の構成を備えている。本実施形態では、寸法や材質も同一になっている。
【００４０】
ベース部材４Ａと連結部材４Ｂとを連結するには、図９に示すように、ベース部材４Ａの下支持部４２，４２の対向面間に透孔４７ａを有するスペーサ４７を挿入したうえで、連結部材４Ｂの上支持部４５，４５の対向面間にベース部材４Ａの下支持部４２，４２を挿入し、下支持部４２の下支持孔４２ａと上支持部４５の上支持孔４５ａとスペーサ４７の透孔４７ａの位置を合わせたうえで、一方の上支持部４５側から下支持孔４２ａと上支持孔４５ａと透孔４７ａとに支持軸４３を挿入し、他方の上支持部４５の上支持孔４５ａから突出した支持軸４３の先端部にナット４３ａを螺合すればよい。
【００４１】
図１０の（ａ）に示す上階側の上弦支承体５０は、上弦材１１とラチス材１３との接続点のうち、上端に位置する接続点（ハブ２）を支持するものであって、上階の階段取付部Ｆ２に固定されるベース部材５Ａと、ハブ２に固定される連結部材５Ｂとを備えて構成されている。
【００４２】
ベース部材５Ａは、図１０の（ｂ）に示すように、階段取付部Ｆ２に固定される基部５１と、この基部５１の中央部に対向して立設された左右一対の支持部５２とを備えて構成されている。基部５１は、板状を呈しており、その適所に取付孔５１ａ，５１ａ，…が形成されている。取付孔５１ａには、ベース部材５Ａを階段取付部Ｆ２に固定するためのボルトＢ５が挿通される。支持部５２は、板状を呈しており、その略中央部に支持孔５２ａが形成されている。支持孔５２ａには、連結部材３Ｂを支持するための支持軸５３が挿通される。なお、本実施形態では、ボルトの軸部を支持軸５３としている。
【００４３】
ベース部材５Ａは、図示は省略するが、アルミニウム合金製の押出形材を適宜な寸法で切断・切除することで製作される。なお、ベース部材５Ａは、鋳造により製作してもよいし、板材を溶接により接合して製作してもよい。
【００４４】
連結部材５Ｂは、ベース部材５Ａに接続される本体部５４と、ハブ２に接続される接続端部５５とを備えて構成されている。本体部５４は、支持軸５３を介してベース部材５Ａの支持部５２に接続され、支持軸５３の軸回りに回動可能である。すなわち、本体部５４は、ピン支持状態でベース部材５Ａに接続される。なお、本体部５４は、ベース部材５Ａの支持部５２，５２の対向面（内面）間の距離と略等しい厚さ寸法に設定されていて、支持部５２，５２の対向面間に挿入される。本体部５４には、支持軸５３が挿通される挿通孔５４ａが形成されている。挿通孔５４ａは、本体部５４を左右方向に貫通している。接続端部５５は、ハブ２の連結溝２ａに嵌合される部位であり、本体部５４の端縁に沿って形成されている。
【００４５】
ベース部材５Ａと連結部材５Ｂとを連結するには、ベース部材５Ａの支持部５２，５２の対向面間に連結部材５Ｂの本体部５４を挿入し、支持部５２の支持孔５２ａと本体部５４の挿通孔５４ａの位置を合わせたうえで、一方の支持部５２側から支持孔５２ａと挿通孔５４ａとに支持軸５３を挿入し、他方の支持部５２の支持孔５２ａから突出した支持軸５３の先端部にナット５３ａを螺合すればよい。
【００４６】
手摺６０は、図１に示すように、踏板２０，２０，…に立設された支柱６１，６１，…と、この支柱６１，６１，…に支持された笠木６２と、隣り合う支柱６１，６１間に配置された透明パネル６３とを備えて構成されている。なお、手摺６０の形態や材質に特に制限はなく、居室の雰囲気や居住者の好みに応じて変更してもよい。
【００４７】
次に、階段の構築手順の一例を説明する。
まず、図２に示すように、棒状要素１、ラチス材１３、上弦連結材１４、下弦連結材１５をハブ２で連結してトラス構造体１０を形成する。棒状要素１をハブ２に接続するには、図４に示すように、棒状要素１の接続端部１ａをハブ２の端面側から連結溝２ａに嵌合し、各々に形成した凹凸を係合させればよい。ラチス材１３、上弦連結材１４、下弦連結材１５についても同様である。なお、図１０の（ｂ）に示すように、上弦材１１の上端に位置するハブ２の連結溝２ａには、上階側の上弦支承体５０となる連結部材５Ｂの接続端部５５を嵌合させておく。
【００４８】
その後、図４に示すように、下弦材１２となるハブ２の上下面に抜止め用のワッシャ２ｃを配置したうえで、ハブ２のボルト挿通孔２ｂにネジ棒Ｂ１を挿通し、ネジ棒Ｂ１の両端をナットＮ１，Ｎ１で締結する。ナットＮ１を締結したら、ハブ２の端面に化粧用のキャップ２ｄを取り付けてナットＮ１を覆い隠す。なお、図７に示すように、支持点Ｓとなるハブ２の下面には、ワッシャ２ｃ（図６参照）に代えて下弦支承体３０を取り付ける。
【００４９】
ハブ２に下弦支承体３０を取り付ける場合には、連結部材３Ｂをハブ２の下面に固定した後に、束部材３Ｃの上端部を連結部材３Ｂに接続するとよい。ハブ２の下面に連結部材３Ｂを固定するには、図８に示すように、連結部材３Ｂの取付孔３４ａとハブ２のボルト挿通孔２ｂとにネジ棒Ｂ１（図６参照）を挿通し、ネジ棒Ｂ１の両端をナットＮ１，Ｎ１（図６参照）で締結すればよい。なお、束部材３Ｃの上端部を連結部材３Ｂに接続する前に、束部材３Ｃの下端部をベース部材３Ａに接続しておいてもよいし、束部材３Ｃの上端部を連結部材３Ｂに接続した後に、束部材３Ｃの下端部をベース部材３Ａに接続してもよい。
【００５０】
次に、図２に示すように、上弦材１１となる棒状要素１，１に沿って補強材１６を配置するとともに、ハブ２の位置において補強材１６の上面に受け材２１（図６参照）を載置する。その後、図６に示すように、上弦材１１となるハブ２の下面にワッシャ２ｃを配置したうえで、ハブ２のボルト挿通孔２ｂ（図４参照）にその下面側からネジ棒Ｂ１を挿通するとともに、その上端部を受け材２１の内部に突出させ、ネジ棒Ｂ１の両端をナットＮ１，Ｎ１で締結する。このようにすると、補強材１６が、ハブ２の上面と受け材２１の取付面２１ａとに挟持された状態で固定されることになる。ナットＮ１を締結したら、ハブ２の下面に化粧用のキャップ２ｄを取り付けてナットＮ１を覆い隠す。なお、図７に示すように、上弦材１１の下端に位置するハブ２には、その下面に配置されるワッシャ２ｃ（図６参照）に代えて、下階側の上弦支承体４０を取り付ける。
【００５１】
ハブ２に下階側の上弦支承体４０を取り付ける場合には、連結部材４Ｂをハブ２の下面に固定した後に、連結部材３Ｂをベース部材４Ｂに接続するとよい。ハブ２の下面に連結部材４Ｂを固定するには、図９に示すように、連結部材４Ｂの取付孔４４ａとハブ２のボルト挿通孔２ｂとにネジ棒Ｂ１（図６参照）を挿通し、ネジ棒Ｂ１の両端をナットＮ１，Ｎ１（図６参照）で締結すればよい。
【００５２】
トラス構造体１０の構築作業が完了したら、図１１に示すように、トラス構造体１０を階段取付部Ｆ１，Ｆ２間に架設する。トラス構造体１０を架設する場合には、まず、上階の階段取付部Ｆ２に予め固定しておいた上階側の上弦支承体５０のベース部材５Ａにトラス構造体１０に取り付けた連結部材５Ｂを接続する。上階側の上弦支承体５０のベース部材５Ａに連結部材５Ｂを接続すると、支持軸５３（図１０参照）を中心としてトラス構造体１０を上下に旋回させることが可能となるので、トラス構造体１０を簡単に所定の階段勾配に傾斜させることが可能となる。
【００５３】
次に、下階側の上弦支承体４０のベース部材４Ａを下階の階段取付部Ｆ１に固定し、その後、下弦支承体３０のベース部材３Ａを下階の階段取付部Ｆ１に固定する。なお、束部材３Ｃが、ベース部材３Ａおよび連結部材３Ｂに対して回動可能に接続されているので、図１２に示すように、ベース部材３Ａを階段取付部Ｆ１に固定するまでは、束部材３Ｃを前後方向に傾倒させて束部材３Ｃの傾斜角度を変更することが可能となる。すなわち、束部材３Ｃの高さ寸法の微調整を行うことができる。
【００５４】
トラス構造体１０の架設作業が完了したら、図６に示すように、受け材２１の踏板支持面２１ｂに、ボルトＢ２およびナットＮ２を用いて踏板２０を固定し、さらに、必要に応じて手摺６０（図１参照）を取り付けて階段の構築が完了する。
【００５５】
以上説明した本実施形態に係る階段によれば、下弦材１２の下端に位置する接続点を支持する場合（図１３参照）に比べて、トラス構造体１０の支点間距離を短くすることが可能となるので、トラス構造体１０が長尺化しても、その中央部での撓みが大きくならず、かつ、長周期の揺れが発生し難くなる。加えて、本実施形態に係る階段によれば、上弦材１１や下弦材１２を重厚にする必要がないので、軽快な印象を維持しつつ、撓みや長周期の揺れを抑えることが可能となる。
【００５６】
なお、本実施形態に係る階段においては、下弦材１２とラチス材１３との接続点のうち、下端に位置する接続点よりも少なくとも一つ上に位置する接続点を支持点Ｓとしているので、下端に位置する接続点を支持点とした場合（図１３参照）に比べて、支持点Ｓと下階の階段取付部Ｆ１との離間距離が大きくなる傾向にあるが、束部材３Ｃを具備しているので、支持点Ｓと下階の階段取付部Ｆ１との離間距離が大きい場合であっても容易に対応することができる。
【００５７】
また、本実施形態に係る階段支承体（下弦支承体３０）によると、束部材３Ｃの下端部をピン支持状態でベース部材３Ａに接続するとともに、束部材３Ｃの上端部をピン支持状態で連結部材３Ｂに接続しているので、ベース部材３Ａを階段取付部Ｆ１に固定するまでは、束部材３Ｃを前後方向に傾倒させて束部材３Ｃの傾斜角度を変更することができる。すなわち、束部材３Ｃの高さ寸法（下挿通孔３７ａと上挿通孔３７ｂの高低差）の微調整を行うことができるので、例えば、施工誤差等により階段取付部Ｆ１の高さ位置が異なる場合であっても、容易に対応することが可能となり、さらには、建物ごとに異なる階段の設置状況に容易に対応することが可能となる。
【００５８】
また、本実施形態に係る階段支承体（下弦支承体３０）によると、束部材３Ｃを長さの異なる他の束部材に取り替えるだけで、高さ寸法を変更することができるので、建物ごとに異なる階段の設置状況に容易に対応することが可能となる。
【００５９】
なお、本実施形態では、下階側の上弦支承体４０のベース部材４Ａおよび連結部材４Ｂの寸法・形状を、下弦支承体３０のベース部材３Ａおよび連結部材３Ｂと同一にしたので、構成部品の共用化を図ることができ、その結果、製造コストを削減することが可能となる。
【００６０】
前記した階段の構成は適宜変更しても差し支えない。例えば、本実施形態では、下弦材１２とラチス材１３との接続点のうち、下端に位置する接続点よりも一つ上に位置する接続点（支持点Ｓ）に下弦支承体３０を取り付けた場合を例示したが、これに限定されることはなく、例えば、下端に位置する接続点よりも二つ上に位置する接続点や三つ上に位置する接続点を支持点とし、この支持点に下弦支承体３０を取り付けてもよい。この場合には、図示した束部材３Ｃに代えて、これよりも長い束部材を用いればよい。
【００６１】
また、本実施形態では、ベース部材３Ａと連結部材３Ｂと束部材３Ｃとを具備する下弦支承体３０で、下端に位置する接続点よりも一つ上に位置する接続点（支持点Ｓ）を支持する場合を例示したが、下弦支承体３０とは異なる構成の下弦支承体で支持点Ｓを支持してもよい。すなわち、支持点Ｓを支持可能なものであれば、下弦支承体の形態に特に制限はなく、例えば、束部材３Ｃを省略した形態の下弦支承体（図示略）で支持点Ｓを支持してもよい。束部材３Ｃを省略する場合には、例えば、ベース部材３Ａの下支持部３２を上方に延出させ、連結部材３Ｂの上支持部３５に直に接続すればよい。
【００６２】
また、本実施形態では、逆ハ字状に対向する左右一対のトラス面を具備するトラス構造体１０に下弦支承体３０を取り付けた場合を例示したが、下弦支承体３０を適用可能なトラス構造体１０の形態を限定する趣旨ではない。例えば、図示は省略するが、左右一対のトラス面が平行状態で対向するトラス構造体に下弦支承体３０を取り付けてもよい。
【００６３】
また、本実施形態では、二条の上弦材１１，１１と二条の下弦材１２，１２とを具備する逆さ台形状のトラス構造体１０に下弦支承体３０を取り付けた場合を例示したが、二条の上弦材と一条の下弦材とを具備する逆三角形状のトラス構造体に下弦支承体３０を取り付けても勿論差し支えない。
【００６４】
また、本実施形態では、二条の下弦材１２，１２の各々に下弦支承体３０を取り付けた場合を例示したが、一方のみに下弦支承体３０を取り付けた場合であっても、トラス構造体１０の中央部での撓みが大きくならず、かつ、長周期の揺れが発生し難くなる。すなわち、トラス構造体が二条以上の下弦材を具備している場合においては、そのうちの少なくとも一つに下弦支承体３０を取り付ければ、トラス構造体１０の中央部での撓みを抑制し、長周期の揺れを抑制することが可能となる。
【００６５】
また、前記した階段支承体（下弦支承体３０）の構成も適宜変更しても差し支えない。例えば、本実施形態では、束部材３Ｃの下端部を回動可能にベース部材３Ａに接続し、束部材３Ｃの上端部を回動可能に連結部材３Ｂに接続した場合を例示したが、これに限定されることはなく、束部材３Ｃの下端部を回動不能にベース部材３Ａに接続してもよいし、束部材３Ｃの上端部を回動不能に連結部材３Ｂに接続してもよい。このような構成の階段支承体であっても、束部材を長さの異なる他の束部材に取り替えるだけで、高さ寸法を変更することができるので、建物ごとに異なる階段の設置状況に容易に対応することが可能となる。
【００６６】
なお、本実施形態に係る階段支承体は、本実施形態に係る階段以外の階段にも使用することもできる。したがって、例えば、前記したトラス構造体１０の上弦材１１のハブ２や下弦材１２の下端に位置するハブ２を、下弦支承体３０と同様の構成を具備する階段支承体で支持してもよい。
【００６７】
また、本実施形態に係る階段支承体は、踏板を支持する構造体が板状の側桁やささら桁などからなる階段にも使用することができる。すなわち、踏板を支持する構造体の下端部に設けられた支持点と下階の階段取付部との間に、下弦支承体３０と同様の構成を具備する階段支承体を介設してもよい。
【図面の簡単な説明】
【００６８】
【図１】本発明の実施形態に係る階段を示す側面図である。
【図２】トラス構造体を示す斜視図である。
【図３】（ａ）は棒状要素の斜視図、（ｂ）棒状要素の上面図、（ｃ）は棒状要素の側面図である。
【図４】節点要素を示す斜視図である。
【図５】（ａ）はラチス材の斜視図、（ｂ）ラチス材の上面図、（ｃ）はラチス材の側面図である。
【図６】本発明の実施形態に係る階段の拡大側断面図である。
【図７】本発明の実施形態に係る階段の下端部を示す拡大側面図である。
【図８】（ａ）は本発明の実施形態に係る階段支承体を示す分解斜視図、（ｂ）はベース部材の製造方法を示す模式的な斜視図である。
【図９】下階側の上弦支承体を示す分解斜視図である。
【図１０】（ａ）は本発明の実施形態に係る階段の上端部を示す拡大側面図、（ｂ）は上階側の上弦支承体を示す分解斜視図である。
【図１１】トラス構造体の架設方法を説明するための模式的な側面図である。
【図１２】本発明の実施形態に係る階段支承体の作用を説明するための拡大側面図である。
【図１３】従来の階段を示す側面図である。
【符号の説明】
【００６９】
１０    トラス構造体
１１    上弦材
１２    下弦材
１３    ラチス材
２０    踏板
３０    下弦支承体（階段支承体）
３Ａ    ベース部材
３Ｂ    連結部材
３Ｃ    束部材
Ｓ      支持点
【図１】
2008014017.tif 000003
【図２】
2008014017.tif 000004
【図３】
2008014017.tif 000005
【図４】
2008014017.tif 000006
【図５】
2008014017.tif 000007
【図６】
2008014017.tif 000008
【図７】
2008014017.tif 000009
【図８】
2008014017.tif 000010
【図９】
2008014017.tif 000011
【図１０】
2008014017.tif 000012
【図１１】
2008014017.tif 000013
【図１２】
2008014017.tif 000014
【図１３】
2008014017.tif 000015